(57)【要約】      （修正有）【課題】手術カセットの吸引室において吸引流体を制御する装置及び方法を提供する。【解決手段】吸引室６２４の底部に又は底部近傍において吸引ポート６３２を有している吸引室を提供する。吸引流体が流体表面の下から（例えば、底部に又は底部近傍の側面上に位置するポートから）吸引室に入る時、吸引流体は、液体／空気界面に外乱をもたらさず、したがって、連続レベル感知に対して外乱をもたらさない。また、吸引ポートが吸引室の底部に又は底部に非常に近接して配置されているので、室内部の液体を持続的な逆流及びプッシュプライミングのために完全に使用することができる。【選択図】図６
2008149148.tif 000002
【特許請求の範囲】
【請求項１】
吸引室において、
手術処置中に手術部位から抽出された吸引流体を収容するための本体と、
前記吸引室が少なくとも部分的に充填された時に前記吸引流体が下方流体表面から前記吸引室に入ることを可能にする、前記本体の底部に又は前記底部に近接して配置された吸引ポートと、
前記本体の頂部に又は前記頂部に配置された空気圧ポートであって、前記吸引室の内部の前記吸引流体が前記空気圧ポートによって加圧される、空気圧ポートと、
前記本体の前記底部に又は前記底部に近接して配置された排出ポートとを備えている、吸引室。
【請求項２】
吸引室であって、
手術処置中に手術部位から抽出された吸引流体を収容するための本体と、
前記吸引室が少なくとも部分的に充填された時に前記吸引流体が下方流体表面から前記吸引室に入ることを可能にする、前記本体の底部に又は前記底部に近接して配置された吸引ポートと、
前記本体の頂部に又は前記頂部に配置された空気圧ポートであって、前記吸引室の内部の前記吸引流体が前記空気圧ポートによって加圧される、空気圧ポートと、
前記本体の前記底部に又は前記底部に近接して配置された排出ポートとを有する、吸引室を備えている、手術カセット。
【請求項３】
手術コンソールにおいて、
吸引室を備えている手術カセットであって、
手術処置中に手術部位から抽出された吸引流体を収容するための本体と、
前記吸引室が少なくとも部分的に充填された時に前記吸引流体が下方流体表面から前記吸引室に入ることを可能にする、前記本体の底部に又は前記底部に近接して配置された吸引ポートと、
前記本体の頂部に又は前記頂部に配置された真空ポートであって、前記吸引室の内部の前記吸引流体が前記真空ポートを通した吸い出しによって加圧される、真空ポートと、
前記本体の前記底部に又は前記底部に近接して配置された排出ポートとを有する、手術カセットを備えている、手術コンソール。
【請求項４】
吸引圧力又は真空を前記吸引室に供給するための真空ポートに結合された空気圧システムをさらに備えている、請求項３に記載の手術コンソール。
【請求項５】
前記吸引室の内部の流体レベルを連続的に感知するためのセンサシステムをさらに備えている、請求項４に記載の手術コンソール。
【請求項６】
前記吸引室を利用する複数の機能を統制するための前記センサシステム及び前記真空システムに結合されたコントローラをさらに備えている、請求項５に記載の手術コンソール。
【請求項７】
前記コントローラが、前記吸引室内の時間の経過にわたる前記流体レベルの変化に基づき前記吸引流体の流量を統制するように動作可能である、請求項６に記載の手術コンソール。
【請求項８】
前記手術処置中に前記手術部位から前記吸引流体を抽出するためのハンドピースと、前記ハンドピースと前記吸引ポートとを接続する吸引ラインとをさらに備えている、請求項６に記載の手術コンソール。
【請求項９】
前記コントローラが、前記ハンドピースから液体を押し出す持続的な逆流操作を行うように動作可能である、請求項８に記載の手術コンソール。
【請求項１０】
前記コントローラが、前記吸引ラインのためのプライミング操作を行うように動作可能である、請求項８に記載の手術コンソール。
【請求項１１】
前記コントローラが、前記真空システムが圧力を前記吸引室に供給して、前記吸引室内の空気を前記吸引室からの加圧液体と置き換えるようにすることによって、前記吸引ラインのためのプライミング操作を行うように動作可能である、請求項８に記載の手術コンソール。
【請求項１２】
前記手術処置中に前記手術部位から前記吸引流体を抽出するためのハンドピースと、前記ハンドピースと前記吸引ポートとを接続する吸引ラインとをさらに備えている、請求項３に記載の手術コンソール。
【請求項１３】
前記吸引流体の一部を収容するための排出バッグと、前記排出ポートと前記排出バッグとを接続する流体チャネルとをさらに備えている、請求項３に記載の手術コンソール。
【発明の詳細な説明】
【技術分野】
【０００１】
本発明は、外科用システム及び方法に関する。より詳しくは、本発明は、流体流を制御するためのシステム及び方法に関する。さらにより詳しくは、本発明の実施形態は、手術システムの吸引室の底部から入る流体流を制御するためのシステム及び方法に関する。
【背景技術】
【０００２】
人間の眼は、完全な失明への穏やかな悪化を引き起こすいくつかの弊害を蒙ることがある。コンタクトレンズ及びメガネはいくつかの病気を補償できるが、眼科手術が他の病気のために必要とされる。一般に、眼科手術は、硝子体網膜手術のような後眼部処置、白内障の手術のような前眼部処置、及び前眼部処置及び後眼部処置の組み合わせに分類される。
【０００３】
眼科手術のために使用される手術機器は、前眼部処置又は後眼部処置用に特殊化できるか、又は両方を補助することができる。いずれにしろ、手術機器は、手術カセット、流体ボトル／バッグ、管、ハンドピース先端のような関連する消耗品、及び他の消耗品の使用を必要とすることが多い。
【０００４】
手術カセットは、処置及び手術機器に応じて様々な機能を提供することができる。例えば、白内障の手術用の手術カセットは、外科部位内へのまたそこからの潅注流又は吸引流の統制を補助する。手術カセットは、加圧輸液流及び吸引流を眼内に送りまたそこから送り出す手術機器と患者との間のインタフェースを提供する。ベンチュリベースの典型的な吸引システムでは、最初に流体が患者の眼から吸引室内に抽出され、次に、吸引室から排出バッグ内に取り除かれる。
【０００５】
吸引室は、多くの機能を果たすことができる。例えば、吸引室は、連続レベル感知のための感知室として機能することができ、それは手術コンソールに体積流及び吸引流の情報を提供する。吸引流体は、一般に、頂部から吸引室に入る。滴下のため、吸引室の頂部から入る吸引流体により、流体表面に対し外乱が引き起こされることが避けられず、結果として、連続レベル感知に影響を及ぼす。さらに、流体ポートが室の頂部にある場合、逆流処置のために流体のすべてを使用することができない。したがって、吸引室の液体／空気の表面に対する外乱を最小にするために、また逆流のためにより多くの流体を利用できるために、新しい解決方法が必要とされる。以前は、逆流処置を行うために、ハンドピースから液体を押し出すために、機械力が吸引ラインに加えられる。強制された液体の逆流（すなわち、吸引流体はその通常の移動と反対方向に移動する）は、うまくハンドピースから障害物を取り除くか又は詰まりを取り除いてもよく、そうしなくてもよい。さらに、吸引ポートは吸引室の頂部に位置決めされるので、押し出された液体は必ずしもより多くの液体によって置き換えられない。したがって、逆流操作を維持可能にするために、新しい解決方法が必要である。本明細書に開示した本発明の実施形態は、これらの必要性及びそれ以上のことに取り組むことができる。
【発明の開示】
【０００６】
発明の要旨
本発明の実施形態は、手術カセット内の吸引流体の流れを制御するための新しいシステム、装置、及び方法を提供する。吸引流体が手術カセットの吸引室に入る時、液体／空気表面に対する外乱は、吸引室の多くの機能を促進するように最小にしなければならない。例えば、連続レベル感知によって、吸引室は感知室として機能し、体積流及びと吸引流の情報を手術コンソールに提供する。吸引室はまた、持続的な逆流及びプライミング用の流体リザーバとして機能する。
【０００７】
本発明の実施形態は、吸引室の底部に又はそれに近接して吸引ポートを配置することによって、これらの必要性に取り組む。吸引流体が流体表面の下から（例えば、底部に又は底部に近接する側壁に配置されたポートから）吸引室に入る時、吸引流体は、液体／空気界面に外乱をもたらさず、したがって、連続レベル感知に対する影響を最小にする。同様に、吸引ポートは、吸引室の底部に又はそれに非常に近接して配置されるので、室内部の液体を完全に使用することができる。
【０００８】
本発明の実施形態は、手術カセット内の吸引流制御の従来技術のシステム及び方法に較べて多くの利点を提供する。例えば、吸引ポートを吸引室の底部に配置することによって、吸引流体が吸引室に入る時に、吸引ポートは流体表面に対する外乱を排除する。この結果、吸引ポートは、連続レベル感知に導入されるノイズを最小にし、かつ信号雑音比を改善し、これによって、時間の経過にわたる流体対空気比の変化、及び吸引室内へのまたそこからの吸引流体の流量を決定するために必要なより正確で信頼性の高いデータが得られる。
【０００９】
本発明の実施形態によって提供される他の利点は、吸引ラインの逆流及びプライミングに関する。吸引ポートが吸引室の底部に位置決めされる実施形態では、逆流及びプライミング用に室内の液体を完全に使用することができる。このことにより、持続的な逆流及びプッシュプライミング用の液体が可能になる。
【００１０】
本発明及び本発明の利点のより完全な理解は、同様の参照番号が同様の特徴を示す添付図と関連して行われる次の説明を参照することによって獲得可能である。
【発明を実施するための最良の形態】
【００１１】
本発明の好ましい実施形態が図に示されており、同様の数字は、様々な図面の同様かつ対応する部分を指すために使用される。
【００１２】
図１は、眼科の手術コンソール１００の一実施形態の概略図である。手術コンソール１００は、タッチスクリーン１１５を有する旋回モニタ１１０を含むことができる。旋回モニタ１１０は、タッチスクリーン１１５を見る人のために様々な姿勢で位置決めされることができる。旋回モニタ１１０は、側面から側面に揺動し、ならびに回転また傾斜できる。タッチスクリーン１１５は、ユーザがコンソール１００と対話することを可能にするグラフィカルユーザインタフェース（「ＧＵＩ」）を提供する。
【００１３】
手術コンソール１００はまた、様々なツール及び消耗品を手術コンソール１００に接続するために使用される接続パネル１２０を含む。接続パネル１２０は、例えば、凝固コネクタ、様々なハンドピース用のコネクタ、及びカセット受容部１２５を含むことができる。手術コンソール１００はまた、フットペダル制御装置（例えば、パネル１３０の背後に格納）及び他の特徴のようなユーザが扱いやすい様々な特徴を含むことができる。
【００１４】
手術中、カセット（図示せず）は、カセット受容部１２５に配置できる。手術コンソール１００内のクランプは、使用中のカセットの移動を最小にするためにカセットを適所にクランプする。クランプは、カセットの頂部及び底部、カセットの側面をクランプできるか、さもなければカセットをクランプする。
【００１５】
図２は、手術カセット１５０の一実施形態の概略図である。カセット１５０は、手術処置に続き処分できる閉鎖系の流体装置を提供できる。カセット１５０は、カセット本体１５５と、カセット本体１５５から突出するクランプ（例えば、クランプゾーン１６０と１６５で一般に示される）とインタフェースする部分とを含むことができる。カセット１５０は、ＡＢＳプラスチック又は他の適切な材料から形成することができる。図示した実施形態では、カセット１５０は、３つの１次部分、すなわち、カセット１５０が手術コンソール１００に挿入される時に手術コンソールに面する内側又は手術コンソールインタフェース部分１７０と、中央部分１７５と、カバープレート１７９とから形成される。カセット１５０の様々な部分は、プレス嵌め、相互ロックタブ、化学接着、熱接着、機械式締結具又は関連技術で公知の他の取付け機構によって共に結合されることができる。他の実施形態において、カセット１５０は、単一のピース又は多数のピースから形成することができる。
【００１６】
手術コンソールインタフェース部分１７０は、使用中にコンソールに面して、流体フローチャネル（例えば、エラストマポンプ膜によって提供される蠕動ポンプ用のフローチャネル１７７）、弁（例えば、輸注／吸引弁）、及び流体流を統制するための他の特徴用のインタフェースを提供することができる。カセット１５０はまた、処置中に流体を収集するための流体バッグ（図示せず）に取り付けることができる。
【００１７】
本発明の様々な実施形態による手術カセット１５０は、吸引及び輸注のために流体を保持するための室を含む。例えば、室カートリッジ１８０は、２つの室１８１と１８２を含むことができる。第３の室１８５は、室カートリッジ１８０からカセット１５０の反対側（例えば、１９０で示したカセット１５０カセットの側面）でカセット１５０に対し内側であることができる。一実施形態において、室１８１と１８２は輸液室であり、室１８５は吸引室である。弁シール１８７／１８８は、エラストマ材料の別個の部片又は単一ピースから形成することができ、またアクチュエータによって加えられた力が除去された時、ほぼそれらの元の形状に戻ることができる。カセット１５０の異なる弁は、カセットを通した流れを制御するために同一又は異なる構造を有することができる。
【００１８】
図３は、手術カセット（図示せず）を受容するためのカセット受容部３２５の一実施形態の概略図である。カセット受容部３２５は、手術カセットとインタフェースするために様々な空気圧式の入出力ポートを有することができる。カセット受容部３２５は、手術中に蠕動ポンプローラ３１２が手術カセットに接触することを可能にするために、開口部をさらに含むことができる。蠕動ポンプ及び相補的なカセットの一実施形態が、参考として本出願に完全に組み込まれているソレンセン（Ｓｏｒｅｎｓｅｎ）への米国特許第６，２９３，９２６号に記載されている。
【００１９】
手術カセットは、底部レール３１４と頂部レール（図示せず）とを有するクランプによって適所に保持される。各々のレールは、対応するクランプゾーンのカセットに接触する外側クランプフィンガ（例えば、クランプフィンガ３２４）と、挿入中にカセットを配置し、また解放中にカセットをカセット受容部から押し出すための内側クランプフィンガとを有することができる。リリースボタン３２６が押され、クランプからのカセットの解放を開始する。一実施形態によるカセット受容部３２５は、光をカセット室の壁部に投影するための直線光源と、室を通して屈折された（又は室の壁部から反射された）光を検出するためのセンサアレイとを含むことができる。各々の直線光源は、垂直に配置され（すなわち、垂直に離間した伝送路に沿って光を投影するように）、かつ光をカセットの壁部内に投影するように位置決めされた複数の光源を含むことができる。例えば、線形光源３３２は、光を吸引室１８５の壁部内に投影することができる。それぞれの直線センサアレイは、室を通して屈折された又は室表面で反射された光を受け取ることができる。各センサアレイは、カセット室の壁部を通して光を受け取るように垂直に配置された部分を含むことができる。垂直に配置された部分は、例えば、照明を感知するための画素センサ、別個のセンサ又は他の機構であることができる。
【００２０】
参考として本出願に完全に組み込まれている２００６年６月２８日に出願された「非侵襲的な連続レベル感知のシステム及び方法」（”Ｓｙｓｔｅｍ  ａｎｄ  Ｍｅｔｈｏｄ  ｏｆ  Ｎｏｎ−Ｉｎｖａｓｉｖｅ  Ｃｏｎｔｉｎｕｏｕｓ  Ｌｅｖｅｌ  Ｓｅｎｓｉｎｇ”）と題する米国特許出願第１１／４７７，０３２に記載されているように、室内の流体のレベル、したがって体積は、光をカセットの壁部内に投影して、対応する直線センサアレイによって検出された光パターンを評価することによって決定することができる。時間の経過にわたる体積の変化を追跡することによって、室の内／外への流体の体積流量又は質量流量を決定することができる。上述のように、室内への流体流量は、真空源、例えば手術コンソール内のベンチュリポンプによって調整することができる。
【００２１】
図３の構造は、一例として示されている。カセット受容部３２５の形態要因、入力／出力ポートの配置と数及びカセット受容部３２５の他の特徴は、手術コンソール１００、実行される手術処置又は他の要因に関係することがある。
【００２２】
図４は、室（例えば、吸引室）の内／外への流体の体積流量又は質量流量を決定するためのシステムの一実施形態の概略図である。本実施例では、吸引室１８５の底部は流体４２０で充填され、一方、吸引室１８５の頂部は空気４２２を収容する。直線光源は光（光線４３０によって表される）を投影する。図４に示したように、光線４３０の部分は妨げられずにカットアウト４８７を通して通過でき、一方、光線４３０の他の部分は、異なる光学特性を有する媒体（例えば、流体４２０、空気４２２、吸引室１８５、カセット本体１５５等）の様々な組み合わせを通して移動する。光学技術の当業者が認識できるように、光が１つの媒体から他の媒体に移動する時、光は、２つの異なる材料の間の境界面で曲がって、方向を変える（すなわち、反射するか又は屈折する）。曲がりの大きさは、入射角ならびに各々の材料の光学特性（例えば、屈折率）に左右されることがある。上述のように垂直に配置された部分を有する直線センサアレイは、光線４３０を受け取るように位置決めすることができる。照明パターン４３２は、光線４３０を吸引室１８５に方向付けた結果を示している。一例として、照明パターン４３２は、吸引室１８５及び空気４２２の内部を通過する光線４３０によって照明される第１の領域４３４と、吸引室１８５、流体４２０に遭遇する光線４３０によって不十分に照明される（例えば、閾値未満に照明される）第２の領域４３６とを備えている。このようにして、流体４２０の上方レベルは、領域４３４（例えば、「ＯＮ」状態の画素の上部）と領域４３６（例えば、「ＯＦＦ」状態の画素）との間の移行に基づき決定することができる。
【００２３】
図５は、手術システムに具体化された流れ制御機構の概略図である。図５に示した実施例では、手術システム５００は、センサシステム５０４を有する手術コンソール５０２と、空気圧／真空源５５６と、コントローラ５０８とを含む。コントローラ５０８は、ＤＳＰ、ＡＳＩＣ、ＲＩＳＫ又はＣＰＵベースのコントローラを含む関連技術で公知の任意の適切なコントローラであることができる。コントローラ５０８は、センサシステム５０４からのアナログ信号をデジタル信号に変換するためのアナログ対デジタル（Ａ／Ｄ）コンバータ５１０を含むことができる。さらに、コントローラ５０８は、センサシステム５０４及び空気圧／真空源６５６を制御するために、デジタル制御信号をアナログ信号に変換するためのデジタル対アナログ（Ｄ／Ａ）変換器５１２を含むことができる。ＤＳＰ、ＡＳＩＣ、ＲＩＳＣ、マイクロコントローラ又はＣＰＵあるいは他の適切なプロセッサのようなプロセッサ５１４は、コンピュータ読み取り可能なメモリ５２０の１組の指示５１８にアクセスすることができる。コンピュータ読み取り可能なメモリ５２０は、ＲＡＭ、ＲＯＭ、磁気記憶、光学式記憶又は他の適切なメモリであることができ、またオンボードであるか又はプロセッサ５１４でアクセスできる。
【００２４】
手術システム５００は、手術コンソール５０２に挿入される手術カセット５２２をさらに含むことができる。手術カセット５２２は、手術機器用の流体リザーバとして機能できる輸液室又は吸引室のような流体室５２４を含むことができる。ハンドピース５７６からの流体は、入口流路５３０を介して弁室５２８に、また弁室５２８から出口流路５３２を介して流体室５２４に導かれる。ハンドピース６７６から流体室５２４に流れる流体流量は、空気圧／真空源５５６によって制御される。
【００２５】
コントローラ５０８は、信号を発生して、測定された流量と設定値流量との比較に基づき空気圧／真空源５５６を制御するために、関連技術で公知の又は開発された様々な制御スキームを実施することができる。一実施形態において、室５２４は、ベンチュリベースの圧力／真空システム５５６に接続された吸引室であり、このシステムは、吸込み圧力を吸引室に供給するためにコントローラ５０８と協働する。この場合、吸引室は、吸引ラインを介してハンドピースに接続される。吸引流体は、吸い上げによってハンドピースを介して手術部位から抽出され、吸引線を通して吸引室に送られる。
【００２６】
図６は、吸引室の底部に位置決めされた吸引ポートを有する吸引室を実装するシステムの一実施形態の概略図である。一実施形態において、手術カセット６００は、２つの輸液室（図示せず）と１つの吸引室６２４とを備えている。二重の輸液室設計のため、他方の室の使用中に一方の室の再充填が可能である。手術処置中、加圧液体（例えば、潅注溶液）は、輸液室から手術部位（例えば、患者の眼）に押し出され、患者の眼から吸引室６２４に抽出され（ハンドピース６０１と吸引ライン６０２とを介して）、次に、吸引室から排出ポート６３４と流体チャネル６３０とを介して排出バッグ６２６内に除去される。流体チャネル６３０は、手術カセット６００内に包埋することが可能であり、また弾性カバー又は軟質の膜カバーを備えていることが可能である。排出ポンプ又はアクチュエータ６１２は、流体チャネル６３０を圧縮するか、さもなければそれに力を加えて、能動的な変位を引き起こし、吸引流体６２０が排出バッグ６２６内に移動して入るように強制することが可能である。一実施形態において、排出ポンプ６１２は、ローラ（例えば、図３のローラ３１２）を利用して、流路の弾性膜を圧縮する蠕動ポンプであることが可能である。吸引流量は、流量制御又は真空制御することができる。
【００２７】
一実施形態において、吸引室６２４は、ポート６３６を通してベンチュリベースの圧力／真空システム６０８に接続される。一実施形態において、圧力／真空システム６０８は手術コンソールに位置する。一実施形態において、圧力／真空システム６０８は吸引圧力又は真空を提供する。ベンチュリベースの真空システムの一例は、アルコンラボラトリーズ社（Ａｌｃｏｎ  Ｌａｂｏｒａｔｏｒｉｅｓ，Ｉｎｃ．）からのＡＣＣＵＲＵＳ（登録商標）システムである。吸引圧力システムと関連して、吸引圧力及び吸引流体流を制御するために、図５を参照して上述したようなコントローラ６０８のようなコントローラ又は他の適切な制御回路を実装することができる。
【００２８】
以前は、吸引室の頂部に吸引ポートが取り付けられる。手術部位から抽出された吸引流体が吸引ポートを通して吸引室に入る時、吸引流体は頂部から滴下して、吸引室内の流体表面に外乱を引き起こす。この問題を排除して、液体／空気表面に対する外乱を最小にするために、吸引室６２４は、吸引ポート６３２を吸引室６２４の底部に配置するように設計され、吸引線６０２からの吸引流体６２０が流体６２０の表面の下から吸引室６２４に入ることを可能にする。この底部入口構造により、滴下、したがって、図４を参照して上述した連続レベル感知機能に対する外乱が排除され、吸引室６２４が、相当より正確な体積流及び吸引流情報を手術コンソールに提供することを可能にする。
【００２９】
一実施形態において、吸引ポート６３２は、吸引室６２４の底部（例えば、側壁）に近接して位置決めされる。吸引流体６２０が吸引室６２４に入る時、吸引流体は、再び下から流体表面に入り、連続レベル感知に影響を及ぼさない。この結果、吸引ポートは、連続レベル感知に導入されるノイズを最小にし、吸引室６２４が、時間の経過にわたる流体対空気比の変化を決定するために必要なより正確で信頼性の高いデータを提供することを可能にする。
【００３０】
吸引室の底部に又はそれに近接して吸引流体入口を配置することは、追加の利点を有する。例えば、吸引ポートは、吸引室の底部に又はそれに非常に近接して配置されるので、
室内部の液体を完全に使用することができる。より詳しくは、吸引室はまた、持続的な逆流及びプッシュプライミング用の流体リザーバとして機能し、吸引室の内部の液体は、吸引ライン内の空気体積を置き換えるために加圧されて、ハンドピースに向かって押圧される。逆流は、吸引体積を加圧することによって達成することができる。吸引ポート６３２は底部にある又はそれに近接するように配置されるので、逆流中に、空気は吸引ライン６０２に導入されない。プライミング吸引ライン６０２は、同様に、吸引室６２４の底部入口設計のため容易に行うことができる。
【００３１】
さらに、ある場合には、ハンドピース６０１は遮断されるか（例えば、吸引流体６２０内の組織又は他の抽出された固体材料のため）、あるいは狭くなる（例えば、汚れの付着のため）可能性がある。一実施形態において、ハンドピース６０１を介して吸引流体６２０を追い出すために、以下に説明するような制御スキームを実装することができる。
【００３２】
例えば、流量が設定値を中心とするある範囲の外側にあるどうかに基づき、流量を調整することができる。さらに、コントローラは、フラッシング操作を実行するようにプログラミングすることができる。例えば、吸引ラインをフラッシュする必要性又は要求を示す命令又は信号がコントローラによって受信された場合、コントローラは、吸引室に接続された真空又は同様の圧力システムに信号を送って、吸引室の内部の空気体積を増加し、吸引室の底部に又はその近くに配置された吸引ポートを通して吸引室から流体を押し出すことができる。吸引室用のプッシュプライミング操作は、吸引室の内部の空気体積を増大することによって同様の方法で行うことができる。吸引ポートは吸引室の底部に又はその近くに配置されるので、吸引ライン又は管のプライミングは、最小量の流体で済むので容易かつ効率的である。
【００３３】
特定の実施形態を参照して、本発明について説明してきたが、実施形態が例示目的であること、及び本発明の範囲がこれらの実施形態に限定されないことを理解すべきである。上述の実施形態に対する多くの変更、修正、追加及び改良が可能である。これらの変更、修正、追加及び改良は、次の特許請求の範囲に詳述されているような本発明の範囲内に含まれると考えられる。
【図面の簡単な説明】
【００３４】
【図１】手術コンソールの一実施形態の概略図である。
【図２】手術カセットの一実施形態の概略図である。
【図３】カセット受容部の一実施形態の概略図である。
【図４】手術カセットの吸引室内の流体体積及び空気体積を連続感知するためのシステムの一実施形態の概略図である。
【図５】手術カセットの吸引室内の流体体積及び空気体積を制御するためのシステムの一実施形態の概略図である。
【図６】吸引室の底部に位置決めされた吸引ポートを有する吸引室を実装するシステムの一実施形態の概略図である。
【図１】
2008149148.tif 000003
【図２】
2008149148.tif 000004
【図３】
2008149148.tif 000005
【図４】
2008149148.tif 000006
【図５】
2008149148.tif 000007
【図６】
2008149148.tif 000008
【外国語明細書】
2008149148000001.pdf